(57)【要約】【課題】電話番号が関連付けられた画像を発信操作の対象となる画像として登録する操作を、ユーザに分かりやすい操作とすることが可能な携帯端末装置を提供する。【解決手段】制御部１１は、記憶部１２に記憶された電話番号と関連付けられ連絡先画像１０４と、電話番号に関連付けられていない追加用画像１０５とを表示部１３に表示させる。制御部１１は、連絡先画像１０４を選択するタッチ操作に基づき、前記連絡先画像１０４に関連付けられた電話番号の通信先へ発信し、追加用画像１０５を選択するタッチ操作に基づき、連絡先情報の一覧を表示部１３に表示させ、当該一覧から何れかの連絡先情報が選択されると、選択された連絡先情報に含まれる電話番号に関連付けられた所定の画像を連絡先画像１０４として、選択された追加用画像１０５に替えて表示部１３に表示させる。【選択図】図９
2014068246.tif 000002
【特許請求の範囲】
【請求項１】
少なくとも電話番号を含む連絡先情報を記憶する記憶部と、
表示面を有する表示部と、
前記表示面に対するタッチ操作を受け付ける操作受付部と、
制御部と、を備え、
前記制御部は、
前記記憶部に記憶された電話番号と関連付けられた第１画像と、前記記憶部に記憶された電話番号に関連付けられていない第２画像とを前記表示部に表示させ、
前記第１画像を選択するタッチ操作が前記操作受付部により受け付けられたことに基づき、前記第１画像に関連付けられた電話番号の通信先へ発信し、
前記第２画像を選択するタッチ操作が前記操作受付部により受け付けられたことに基づき、前記記憶部に記憶された連絡先情報の一覧を前記表示部に表示させ、当該一覧から何れかの連絡先情報が選択されると、選択された連絡先情報に含まれる電話番号に関連付けられた所定の画像を前記第１画像として、選択された前記第２画像に替えて前記表示部に表示させる、
ことを特徴とする携帯端末装置。
【請求項２】
請求項１に記載の携帯端末装置において、
前記制御部は、前記第１画像を選択するタッチ操作が前記操作受付部により受け付けられたことに基づき、発信のための更なる操作をユーザに要求することなく、前記第１画像に関連付けられた電話番号の通信先への発信を開始する、
ことを特徴とする携帯端末装置。
【請求項３】
請求項１または２に記載の携帯端末装置において、
前記記憶部は、前記所定の画像となる複数の候補の画像を記憶し、
前記制御部は、前記所定の画像となる画像を、当該画像に関連付けられる電話番号に対応する前記連絡先情報に基づいて前記候補の画像の中から選出する、
ことを特徴とする携帯端末装置。
【請求項４】
請求項１ないし３の何れか一項に記載の携帯端末装置において、
前記記憶部に記憶された電話番号は、緊急通報用電話番号を含み、
前記記憶部は、緊急通報用電話番号のための専用の画像を記憶し、
前記制御部は、緊急通報用電話番号と前記専用の画像とを関連付け、緊急通報用電話番号に関連付けられた前記専用の画像を、前記第１画像として前記表示部に表示させる、
ことを特徴とする携帯端末装置。
【請求項５】
請求項１ないし４の何れか一項に記載の携帯端末装置において、
前記制御部は、前記第１画像に関連付けられた電話番号の通信先への発信回数または当該通信先との通話時間に応じて前記第１画像の表示態様を変化させる、
ことを特徴とする携帯端末装置。
【請求項６】
請求項１ないし５の何れか一項に記載の携帯端末装置において、
前記制御部は、
前記第１画像に対する第１タッチ操作に基づいて、前記第１画像に関連付けられた電話番号の通信先へ発信する処理を実行し、
前記第１画像に対する、前記第１タッチ操作とは異なる第２タッチ操作に基づいて、前記第１画像に関連付けられた電話番号が含まれる前記連絡先情報を利用する、当該電話番号による発信とは異なる処理を実行する、
ことを特徴とする携帯端末装置。
【請求項７】
請求項６に記載の携帯端末装置において、
前記第１タッチ操作および前記第２タッチ操作は、前記第１画像に対するタッチに続いて互いに異なる方向へタッチ位置を移動させるタッチ操作であり、
前記制御部は、前記タッチ位置の移動方向により実行される処理を知らせるための通知画像を前記表示部に表示させる、
ことを特徴とする携帯端末装置
【請求項８】
請求項１ないし７の何れか一項に記載の携帯端末装置において、
前記携帯端末装置へ物体が近接したことを検出する近接検出部を、さらに備え、
前記制御部は、前記第１画像を選択するタッチ操作が前記操作受付部により受け付けられた後、前記近接検出部によって物体の近接が検出されると、前記第１画像に関連付けられた電話番号の通信先へ発信する、
ことを特徴とする携帯端末装置。
【請求項９】
請求項１ないし８の何れか一項に記載の携帯端末装置において、
前記制御部は、前記第１画像に対するタッチ操作に基づく発信による通話時の受話音量を、他の操作に基づく発信による通話時の受話音量よりも大きくする、
ことを特徴とする携帯端末装置。
【請求項１０】
請求項１ないし９の何れか一項に記載の携帯端末装置において、
報知動作を行う報知部を、さらに備え、
前記制御部は、前記第１画像に対するタッチ操作に基づく発信時に前記報知部を作動させる、
ことを特徴とする携帯端末装置。
【請求項１１】
請求項１ないし１０の何れか一項に記載の携帯端末装置において、
複数の音声出力部を、さらに備え、
前記制御部は、前記複数の音声出力部の中の何れかの音声出力部を前記第１画像に関連付けるための選択操作に基づいて、前記第１画像に関連付けられた音声出力部を、前記第１画像に関連付けられた電話番号の通信先との通話の際の受話音声の出力先に設定する、ことを特徴とする携帯端末装置。
【請求項１２】
請求項１ないし１０の何れか一項に記載の携帯端末装置において、
複数の音声出力部を、さらに備え、
前記制御部は、前記複数の音声出力部の中から選択操作により選択された音声出力部を、前記第１画像に対するタッチ操作による発信に基づく通話の際の受話音声の出力先に設定する、
ことを特徴とする携帯端末装置。
【請求項１３】
請求項１ないし１２の何れか一項に記載の携帯端末装置において、
前記制御部は、
電話番号を入力するための第１操作領域と、前記第１画像および前記第２画像を含む発信操作画面を表示させる操作のための第２操作領域とを有する電話番号入力画面を前記表示面に表示し、
前記２操作領域に対するタッチ操作に基づいて、前記電話番号入力画面に替えて前記発信操作画面を前記表示面に表示し、
前記第１操作領域に対する電話番号を入力するためのタッチ操作に基づいて、前記電話番号入力画面上において、前記第２操作領域に替えて発信操作のための第３操作領域を表示する、
ことを特徴とする携帯端末装置。
【請求項１４】
少なくとも電話番号を含む連絡先情報を記憶する記憶部と、表示面を有する表示部と、前記表示面に対するタッチ操作を受け付ける操作受付部とを備える携帯端末装置のコンピュータに、
前記記憶部に記憶された電話番号と関連付けられた第１画像と、前記記憶部に記憶された電話番号に関連付けられていない第２画像とを前記表示部に表示させる機能と、
前記第１画像を選択するタッチ操作が前記操作受付部により受け付けられたことに基づき、前記第１画像に関連付けられた電話番号の通信先へ発信するとともに、前記第２画像を選択するタッチ操作が前記操作受付部により受け付けられたことに基づき、前記記憶部に記憶された連絡先情報の一覧を前記表示部に表示させ、当該一覧から何れかの連絡先情報が選択されると、選択された連絡先情報に含まれる電話番号に関連付けられた所定の画像を前記第１画像として、選択された前記第２画像に替えて前記表示部に表示させる機能と、
を付与するプログラム。
【請求項１５】
少なくとも電話番号を含む連絡先情報を記憶する記憶部と、表示面を有する表示部と、前記表示面に対するタッチ操作を受け付ける操作受付部とを備える携帯端末装置の制御方法であって、
前記記憶部に記憶された電話番号と関連付けられた第１画像と、前記記憶部に記憶された電話番号に関連付けられていない第２画像とを前記表示部に表示させるステップと、
前記第１画像を選択するタッチ操作が前記操作受付部により受け付けられたことに基づき、前記第１画像に関連付けられた電話番号の通信先へ発信するとともに、前記第２画像を選択するタッチ操作が前記操作受付部により受け付けられたことに基づき、前記記憶部に記憶された連絡先情報の一覧を前記表示部に表示させ、当該一覧から何れかの連絡先情報が選択されると、選択された連絡先情報に含まれる電話番号に関連付けられた所定の画像を前記第１画像として、選択された前記第２画像に替えて前記表示部に表示させるステップと、
を含む制御方法。
【発明の詳細な説明】
【技術分野】
【０００１】
本発明は、携帯電話機、ＰＤＡ（Personal Digital Assistant）、タブレットＰＣ（Tablet PC）、電子書籍端末等の携帯端末装置に関する。また、本発明は、かかる携帯端末装置に用いて好適なプログラムおよび制御方法に関する。
【背景技術】
【０００２】
従来、通話頻度の高い相手への発信操作を簡易にするため、短縮ダイヤル機能、あるいはスピードダイヤル機能と称される機能を備える携帯電話機が知られている。かかる携帯電話機では、たとえば、通信相手の電話番号が関連付けられた画像が表示部に表示される。表示される画像は通信相手に関連する画像とされ得る。表示された画像に対してタッチ操作がなされると、画像に関連付けられた電話番号の通信先（電話機）に対して発信が行われる（たとえば、特許文献１参照）。
【先行技術文献】
【特許文献】
【０００３】
【特許文献１】特開平９−０８３６３０号公報
【発明の概要】
【発明が解決しようとする課題】
【０００４】
上記の構成では、電話番号が関連付けられた画像を、発信操作の対象となる画像として登録する操作が必要である。このような登録操作は、できる限りユーザに分かりやすい操作であることが望ましい。
【０００５】
そこで、本発明は、所定の電話番号が関連付けられた画像を発信操作の対象となる画像として登録する操作を、ユーザに分かりやすい操作とすることが可能な携帯端末装置、プログラムおよび携帯端末装置の制御方法を提供することを目的とする。
【課題を解決するための手段】
【０００６】
本発明の第１の態様に係る携帯端末装置は、少なくとも電話番号を含む連絡先情報を記憶する記憶部と、表示面を有する表示部と、前記表示面に対するタッチ操作を受け付ける操作受付部と、制御部と、を備える。ここで、前記制御部は、前記記憶部に記憶された電話番号と関連付けられた第１画像と、前記記憶部に記憶された電話番号に関連付けられていない第２画像とを前記表示部に表示させる。そして、制御部は、前記第１画像を選択するタッチ操作が前記操作受付部により受け付けられたことに基づき、前記第１画像に関連付けられた電話番号の通信先へ発信する。一方、制御部は、前記第２画像を選択するタッチ操作が前記操作受付部により受け付けられたことに基づき、前記記憶部に記憶された連絡先情報の一覧を前記表示部に表示させ、当該一覧から何れかの連絡先情報が選択されると、選択された連絡先情報に含まれる電話番号に関連付けられた所定の画像を前記第１画像として、選択された前記第２画像に替えて前記表示部に表示させる。
【０００７】
本態様に係る携帯端末装置において、前記制御部は、前記第１画像を選択するタッチ操作が前記操作受付部により受け付けられたことに基づき、発信のための更なる操作をユーザに要求することなく、前記第１画像に関連付けられた電話番号の通信先への発信を開始するような構成とされ得る。
【０００８】
本態様に係る携帯端末装置において、前記記憶部は、前記所定の画像となる複数の候補の画像を記憶するような構成とされ得る。この場合、前記制御部は、前記所定の画像とな
る画像を、当該画像に関連付けられる電話番号に対応する前記連絡先情報に基づいて前記候補の画像の中から選出する。
【０００９】
本態様に係る携帯端末装置において、前記記憶部に記憶された電話番号は、緊急通報用電話番号を含み得る。この場合、前記記憶部は、緊急通報用電話番号のための専用の画像を記憶する。そして、前記制御部は、緊急通報用電話番号と前記専用の画像とを関連付け、緊急通報用電話番号に関連付けられた前記専用の画像を、前記第１画像として前記表示部に表示させる。
【００１０】
本態様に係る携帯端末装置において、前記制御部は、前記第１画像に関連付けられた電話番号の通信先への発信回数または当該通信先との通話時間に応じて前記第１画像の表示態様を変化させるような構成とされ得る。
【００１１】
本態様に係る携帯端末装置において、前記制御部は、前記第１画像に対する第１タッチ操作に基づいて、前記第１画像に関連付けられた電話番号の通信先へ発信する処理を実行するとともに、前記第１画像に対する、前記第１タッチ操作とは異なる第２タッチ操作に基づいて、前記第１画像に関連付けられた電話番号が含まれる前記連絡先情報を利用する、当該電話番号による発信とは異なる処理を実行するような構成とされ得る。
【００１２】
このような構成とした場合、前記第１タッチ操作および前記第２タッチ操作は、前記第１画像に対するタッチに続いて互いに異なる方向へタッチ位置を移動させるタッチ操作とされ得る。この場合、前記制御部は、前記タッチ位置の移動方向により実行される処理を知らせるための通知画像を前記表示部に表示させる。
【００１３】
本態様に係る携帯端末装置は、前記携帯端末装置へ物体が近接したことを検出する近接検出部を、さらに備えるような構成とされ得る。この場合、前記制御部は、前記第１画像を選択するタッチ操作が前記操作受付部により受け付けられた後、前記近接検出部によって物体の近接が検出されると、前記第１画像に関連付けられた電話番号の通信先へ発信する。
【００１４】
本態様に係る携帯端末装置において、前記制御部は、前記第１画像に対するタッチ操作に基づく発信による通話時の受話音量を、他の操作に基づく発信による通話時の受話音量よりも大きくするような構成とされ得る。
【００１５】
本態様に係る携帯端末装置は、報知動作を行う報知部を、さらに備えるような構成とされ得る。この場合、前記制御部は、前記第１画像に対するタッチ操作に基づく発信時に前記報知部を作動させる。
【００１６】
本態様に係る携帯端末装置は、複数の音声出力部を、さらに備えるような構成とされ得る。この場合、前記制御部は、前記複数の音声出力部の中の何れかの音声出力部を前記第１画像に関連付けるための選択操作に基づいて、前記第１画像に関連付けられた音声出力部を、前記第１画像に関連付けられた電話番号の通信先との通話の際の受話音声の出力先に設定する。
【００１７】
本態様に係る携帯端末装置は、複数の音声出力部を、さらに備えるような構成とされ得る。この場合、前記制御部は、前記複数の音声出力部の中から選択操作により選択された音声出力部を、前記第１画像に対するタッチ操作による発信に基づく通話の際の受話音声の出力先に設定する。
【００１８】
本態様に係る携帯端末装置において、前記制御部は、電話番号を入力するための第１操
作領域と、前記第１画像および前記第２画像を含む発信操作画面を表示させる操作のための第２操作領域とを有する電話番号入力画面を前記表示面に表示し、前記２操作領域に対するタッチ操作に基づいて、前記電話番号入力画面に替えて前記発信操作画面を前記表示面に表示し、前記第１操作領域に対する電話番号を入力するためのタッチ操作に基づいて、前記電話番号入力画面上において、前記第２操作領域に替えて発信操作のための第３操作領域を表示するような構成とされ得る。
【００１９】
本発明の第２の態様に係るプログラムは、少なくとも電話番号を含む連絡先情報を記憶する記憶部と、表示面を有する表示部と、前記表示面に対するタッチ操作を受け付ける操作受付部とを備える携帯端末装置のコンピュータに、前記記憶部に記憶された電話番号と関連付けられた第１画像と、前記記憶部に記憶された電話番号に関連付けられていない第２画像とを前記表示部に表示させる機能と、前記第１画像を選択するタッチ操作が前記操作受付部により受け付けられたことに基づき、前記第１画像に関連付けられた電話番号の通信先へ発信するとともに、前記第２画像を選択するタッチ操作が前記操作受付部により受け付けられたことに基づき、前記記憶部に記憶された連絡先情報の一覧を前記表示部に表示させ、当該一覧から何れかの連絡先情報が選択されると、選択された連絡先情報に含まれる電話番号に関連付けられた所定の画像を前記第１画像として、選択された前記第２画像に替えて前記表示部に表示させる機能と、を付与する。
【００２０】
本発明の第３の態様は、少なくとも電話番号を含む連絡先情報を記憶する記憶部と、表示面を有する表示部と、前記表示面に対するタッチ操作を受け付ける操作受付部とを備える携帯端末装置の制御方法に関する。本態様に係る制御方法は、前記記憶部に記憶された電話番号と関連付けられた第１画像と、前記記憶部に記憶された電話番号に関連付けられていない第２画像とを前記表示部に表示させるステップと、前記第１画像を選択するタッチ操作が前記操作受付部により受け付けられたことに基づき、前記第１画像に関連付けられた電話番号の通信先へ発信するとともに、前記第２画像を選択するタッチ操作が前記操作受付部により受け付けられたことに基づき、前記記憶部に記憶された連絡先情報の一覧を前記表示部に表示させ、当該一覧から何れかの連絡先情報が選択されると、選択された連絡先情報に含まれる電話番号に関連付けられた所定の画像を前記第１画像として、選択された前記第２画像に替えて前記表示部に表示させるステップと、を含む。
【発明の効果】
【００２１】
本発明によれば、所定の電話番号が関連付けられた画像を発信操作の対象となる画像として登録する操作を、ユーザに分かりやすい操作とすることが可能な携帯端末装置、プログラムおよび携帯端末装置の制御方法を提供することができる。
【００２２】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２３】
【図１】実施の形態に係る、携帯電話機の構成を示す図である。
【図２】実施の形態に係る、携帯電話機の全体構成を示すブロック図である。
【図３】実施の形態に係る、電話帳テーブルの構成を示す図である。
【図４】実施の形態に係る、電話の発信のための制御処理の処理手順を示すフローチャートである。
【図５】電話番号の入力により発信が行われる場合の表示面の画面遷移を示す図である。
【図６】実施の形態に係る、スピードダイヤル機能の制御処理の処理手順を示すフローチャートである。
【図７】実施の形態に係る、スピードダイヤル機能の制御処理に含まれる登録処理および削除処理の処理手順を示すフローチャートである。
【図８】実施の形態に係る、スピードダイヤル画面について説明するための図である。
【図９】実施の形態に係る、発信操作がなされたときの表示面の画面遷移を示す図である。
【図１０】実施の形態に係る、登録操作がなされたときの表示面の画面遷移を示す図である。
【図１１】実施の形態に係る、削除操作がなされたときの表示面の画面遷移を示す図である。
【図１２】変更例１に係る、スピードダイヤル画面について説明するための図である。
【図１３】変更例１に係る、登録操作がなされたときの表示面の画面遷移を示す図である。
【図１４】変更例１に係る、削除処理の処理手順を示すフローチャートである。
【図１５】変更例１に係る、削除操作がなされたときの表示面の画面遷移を示す図である。
【図１６】変更例２に係る、画像テーブルの構成を示す図である。
【図１７】変更例２に係る、登録処理の処理手順を示すフローチャートである。
【図１８】変更例３に係る、スピードダイヤル機能の制御処理について説明するための図である。
【図１９】変更例４に係る、スピードダイヤル機能の制御処理について説明するための図である。
【図２０】変更例５に係る、スピードダイヤル機能の制御処理について説明するための図である。
【図２１】変更例５に係る、スピードダイヤル画面を示す図である。
【図２２】変更例６に係る、スピードダイヤル機能の制御処理の処理手順を示すフローチャートである。
【図２３】変更例７に係る、スピードダイヤル機能の制御処理の処理手順を示すフローチャートである。
【図２４】変更例８に係る、受話音量の調整処理の処理手順を示すフローチャートである。
【図２５】変更例９に係る、発信報知処理の処理手順を示すフローチャートである。
【図２６】その他の変更例に係る、スピードダイヤル画面を示す図である。
【図２７】その他の変更例に係る、スピードダイヤル画面を示す図である。
【図２８】その他の変更例に係る、出力先選択画面を示す図である。
【発明を実施するための形態】
【００２４】
以下、本発明の実施形態について、図面を参照して説明する。
【００２５】
図１は、携帯電話機１の構成を示す図である。図１（ａ）および（ｂ）は、それぞれ、携帯電話機１の正面図および背面図である。
【００２６】
以下、説明の便宜上、図１に示すように、キャビネット２の長手方向を上下方向と定義し、キャビネット２の短手方向を左右方向と定義する。
【００２７】
携帯電話機１は、キャビネット２と、表示面３と、マイクロフォン４と、通話スピーカ５と、キー操作部６と、外部スピーカ７と、近接センサ８とを備えている。
【００２８】
キャビネット２は、正面から見て、ほぼ長方形状を有する。キャビネット２の正面に、後述する表示部１３の表示面３が配されている。表示面３には、各種の画像（画面）が表示される。
【００２９】
キャビネット２の内部には、下端部にマイクロフォン４が配されており、上端部に通話スピーカ５が配されている。マイクロフォン４には、キャビネット２の正面に形成されたマイク孔４ａを通じて音声が入力される。マイクロフォン４は、入力した音に応じた電気信号を生成する。通話スピーカ５からは、音声が出力される。出力された音声は、キャビネット２の正面に形成された出力孔５ａを通じて外部に放出される。
【００３０】
キャビネット２の正面には、キー操作部６が設けられている。キー操作部６は、複数の操作キーから構成されている。各操作キーには、実行中のプログラムを操作するための各種の機能が割り当てられる。
【００３１】
キャビネット２の内部には、外部スピーカ７が配されている。キャビネット２の背面には、外部スピーカ７に対応する出力孔７ａが形成されている。外部スピーカ７から出力された音（音声、報知音等）は、出力孔７ａを通じて外部に放出される。
【００３２】
通話スピーカ５の隣には、近接センサ８が配されている。近接センサ８は、たとえば、静電容量式の近接センサである。近接センサ８は、物体（ユーザの耳等）が近接することにより静電容量が増加し、静電容量が閾値を越えると、検出信号を出力する。なお、近接センサ８は、静電容量式の近接センサに限られず、たとえば、超音波式や誘導式の近接センサであっても良い。
【００３３】
図２は、携帯電話機１の全体構成を示すブロック図である。携帯電話機１は、制御部１１と、記憶部１２と、表示部１３と、タッチ検出部１４と、音声入力部１５と、音声出力部１６と、音声処理部１７と、キー入力部１８と、通信部１９と、近接検出部２０を備えている。
【００３４】
記憶部１２は、ＲＯＭ、ＲＡＭ、外部メモリー等から構成される。記憶部１２には、各種のプログラムが記憶されている。記憶部１２に記憶されるプログラムは、携帯電話機１の各部を制御するための制御プログラムの他、各種アプリケーション（たとえば、電話、電子メール、電話帳、地図、ゲーム、スケジュール管理、等）を含む。プログラムは、メーカによって携帯電話機１の製造時に記憶部１２に記憶される他、ユーザによって通信網や記憶媒体を介して記憶部１２に記憶される。
【００３５】
記憶部１２には、プログラムの実行の際、一時的に利用または生成されるデータを記憶する図示しないワーキング領域も含まれる。
【００３６】
記憶部１２には、図３に示す電話帳テーブル１２ａが記憶されている。電話帳テーブル１２ａには、通信相手の連絡先情報が登録されている。連絡先情報は、名前、電話番号、メールアドレス、住所等の通信相手に係る連絡先の情報、および、通信相手に関連する画像、通信相手の誕生日、通信相手の趣味等の通信相手に係るその他の情報により構成される。各連絡先情報には登録番号が付されている。
【００３７】
ユーザは、電話帳のアプリケーションを実行し、所定の登録画面を用いて通信相手毎に連絡先情報を入力する。入力された連絡先情報が電話帳テーブル１２ａに登録される。連絡先情報を構成する情報のうち、ユーザにより入力されなかった情報は、電話帳テーブル１２ａに登録されない。たとえば、電話番号が入力されなければ、電話帳テーブル１２ａに電話番号が登録されない。電話帳テーブル１２ａに登録された連絡先情報、特に電話番号は、後述するスピードダイヤル機能に利用される。
【００３８】
記憶部１２には、さらに、スピードダイヤル機能に利用される登録テーブル１２ｂが記憶されている。登録テーブル１２ｂについては、追って説明する。
【００３９】
制御部１１は、ＣＰＵ等から構成されている。制御部１１は、プログラムに従って、携帯電話機１を構成する各部（記憶部１２、表示部１３、タッチ検出部１４、音声入力部１５、音声出力部１６、音声処理部１７、キー入力部１８、通信部１９、近接検出部２０等）を制御する。
【００４０】
表示部１３は、液晶ディスプレイ等から構成される。表示部１３は、制御部１１からの制御信号と画像信号に基づき、表示面３に画像（画面）を表示する。表示部１３は、液晶ディスプレイに限らず、有機ＥＬディスプレイ等、他の表示装置から構成されてもよい。
【００４１】
タッチ検出部１４は、表示面３への指の接触を検出するタッチパネル等から構成されている。タッチパネルは、透明なシート状に形成され、表示面３上を覆いキャビネット２の正面に配される。タッチパネルは、静電容量式、超音波式、感圧式、抵抗膜式、光検知式等、各種方式のタッチパネルであってよい。
【００４２】
タッチ検出部１４は、前記表示面３へのユーザによるタッチ操作を受け付ける。即ち、タッチ検出部１４は、指が触れた表示面３上の位置をタッチ位置として検出し、検出したタッチ位置に応じた位置信号を制御部１１へ出力する。
【００４３】
ユーザは、表示面３に指を触れることにより各種のタッチ操作を行うことができる。タッチ操作の種類として、タップ操作、フリック操作、スライド操作、ロングタップ操作等が挙げられる。タップ操作は、表示面３に指を接触させた後、短時間のうちに表示面３より指を離す操作である。フリック操作は、表示面３を指で任意の方向に弾く操作である。スライド操作は、表示面３に指を接触させたまま任意の方向へ移動させる操作である。フリック操作およびスライド操作は、タッチ位置の移動を伴うタッチ操作である。ロングタップ操作は、表示面３に指を接触させた後、しばらくの間接触を維持し、表示面３から指を離す操作である。
【００４４】
タッチ操作についてより具体的に説明する。たとえば、タッチ検出部１４により表示面３に対するタッチ位置が検出された後、予め定めた第１時間以内にタッチ位置が検出されなくなった場合、制御部１１によりタップ操作がなされたと判定される。タッチ検出部１４により表示面３に対するタッチ位置が検出され、予め定めた第２時間以内に予め定めた第１距離以上タッチ位置が移動した後、タッチ位置が検出されなくなった場合、制御部１１によりフリック操作がなされたと判定される。タッチ検出部１４により表示面３に対するタッチ位置が検出された後、予め定めた第２距離以上タッチ位置が移動すると、制御部１１によりスライド操作がなされたと判定される。タッチ検出部１４により表示面３に対するタッチ位置が検出された後、予め定めた第３時間以上タッチ位置が検出され続け、その後タッチ位置が検出されなくなった場合、制御部１１によりロングタップ操作がなされたと判定される。
【００４５】
音声入力部１５は、マイクロフォン４等から構成される。音声入力部１５は、マイクロフォン４からの電気信号を音声処理部１７へ出力する。
【００４６】
音声出力部１６は、通話スピーカ５および外部スピーカ７を含む。音声出力部１６には、音声処理部１７からの電気信号が入力され、通話スピーカ５または外部スピーカ７から音（音声、報知音等）が出力される。
【００４７】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部
１６に出力する。
【００４８】
キー入力部１８は、キー操作部６の各操作キーが押下されたときに、押下された操作キーに応じた信号を制御部１１へ出力する。
【００４９】
通信部１９は、通話や通信を行うため、信号を変換するための回路、電波を送受信するアンテナ等を備える。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００５０】
近接検出部２０は、近接センサ８等から構成される。近接検出部２０は、近接センサ８からの検出信号を制御部１１に出力する。
【００５１】
本実施の形態の携帯電話機１は、電話のアプリケーションの１つの機能として、スピードダイヤル機能を備えている。スピードダイヤル機能は、登録された電話番号について発信操作を簡略化できる機能である。
【００５２】
ユーザは、電話をかける場合、電話のアプリケーションを起動する。通信相手に電話の発信を行うための制御処理が制御部１１により実行される。
【００５３】
図４は、電話の発信のための制御処理の処理手順を示すフローチャートである。図５は、電話番号の入力により発信が行われる場合の表示面３の画面遷移を示す図である。
【００５４】
処理が開始されると、制御部１１は、電話番号入力画面を表示面３に表示する（Ｓ１１）。図５（ａ）に示すように、電話番号入力画面は、電話番号を入力するためのテンキー１０１ａと、入力された電話番号を表示する表示窓１０１ｂとを含む。さらに、電話番号入力画面は、スピードダイヤル機能を実行するためのスピードダイヤルオブジェクト１０２ａを含む。
【００５５】
ユーザは、電話番号を直接入力する場合、テンキー１０１ａに対するタッチ操作を行う。
【００５６】
テンキー１０１ａに対してタッチ操作が行われ、電話番号の入力が開始されると（Ｓ１２:ＹＥＳ）、図５（ｂ）に示すように、制御部１１は、電話番号入力画面上において、スピードダイヤルオブジェクト１０２ａに替えて発信オブジェクト１０２ｂを表示する（Ｓ１３）。制御部１１は、電話番号の入力を受け付けるとともに（Ｓ１４）、発信オブジェクト１０２ｂに対するタッチ操作が行われたか否かを判定する（Ｓ１５）。
【００５７】
電話番号の入力が終わり、ユーザにより発信オブジェクト１０２ｂに対するタッチ操作が行われると（Ｓ１５：ＹＥＳ）、図５（ｃ）に示すように、制御部１１は、確認画面を表示面３に表示する（Ｓ１６）。確認画面は、入力された電話番号へ発信するか否かの確認の操作をユーザに行わせるための確認ウィンドウ１０３ａを含む。確認ウィンドウ１０３ａは、ＯＫボタン１０３ｂと、取り消しボタン１０３ｃとを含む。
【００５８】
制御部１１は、ＯＫボタン１０３ｂに対してタッチ操作がなされたと判定すると（Ｓ１７：ＹＥＳ、Ｓ１８：ＹＥＳ）、入力された電話番号の通信先へ発信を行う（Ｓ１９）。一方、制御部１１は、取り消しボタン１０３ｃに対してタッチ操作がなされたと判定すると（Ｓ１７：ＹＥＳ、Ｓ１８：ＮＯ）、表示面３の表示を確認画面から電話番号入力画面に戻す（Ｓ１１）。図５（ａ）に示すように、電話番号入力画面上には、発信オブジェク
ト１０２ｂに替えてスピードダイヤルオブジェクト１０２ａが表示される。
【００５９】
制御部１１は、電話番号の入力が開始される前にスピードダイヤルオブジェクト１０２ａに対するタッチ操作が行われると（Ｓ２０:ＹＥＳ）、スピードダイヤル機能を実行する（Ｓ２１）。後述するように、表示面３には、電話番号入力画面に替わってスピードダイヤル画面が表示される。
【００６０】
図６は、スピードダイヤル機能の制御処理の処理手順を示すフローチャートである。図７（ａ）および（ｂ）は、それぞれ、スピードダイヤル機能の制御処理に含まれる登録処理および削除処理の処理手順を示すフローチャートである。図８（ａ）ないし（ｃ）は、スピードダイヤル画面について説明するための図である。図９（ａ）および（ｂ）は、発信操作がなされたときの表示面３の画面遷移を示す図である。図１０（ａ）ないし（ｃ）は、登録操作がなされたときの表示面３の画面遷移を示す図である。図１１（ａ）ないし（ｄ）は、削除操作がなされたときの表示面３の画面遷移を示す図である。
【００６１】
処理が開始されると、制御部１１は、スピードダイヤル画面（本発明の発信操作画面に相当）を表示面３に表示する（Ｓ１０１）。図８（ａ）および（ｂ）に示すように、スピードダイヤル画面は、表示領域Ｒ１を含む。図８（ａ）に示すように、表示領域Ｒ１には、縦および横に並ぶように、複数の表示ポイント、たとえば、４つの表示ポイントＰ１〜Ｐ４が設定されている。図８（ｂ）に示すように、制御部１１は、登録テーブル１２ｂに基づいて、各表示ポイントＰ１〜Ｐ４に連絡先画像１０４または追加用画像１０５を表示する。
【００６２】
図８（ｃ）に示すように、登録テーブル１２ｂには、各表示ポイントＰ１〜Ｐ４に対応する登録欄に、登録処理によって、連絡先画像１０４となる画像と、この画像に関連付けられた電話番号が登録される。
【００６３】
制御部１１は、スピードダイヤル画面において、登録テーブル１２ｂに登録された画像を連絡先画像１０４として、当該登録された画像に対応する表示ポイントに表示する。連絡先画像１０４は、名前を含む。名前は、連絡先画像１０４に関連付けられた電話番号が含まれた連絡先情報から取得される。たとえば、関連付けられた電話番号に対応する通信相手の写真と名前により構成された画像が、連絡先画像１０４としてスピードダイヤル画面に表示される。連絡先画像１０４は、連絡先画像１０４に関連付けられた電話番号の通信先へ発信する際にユーザにより操作される。
【００６４】
さらに、制御部１１は、登録テーブル１２ｂに画像が記憶されていない表示ポイントに、予め決められた追加用画像１０５を表示する。追加用画像１０５には、電話番号が関連付けられていない。追加用画像１０５は、電話番号を含む連絡先情報が関連付けられていなことを示す表示形態とされる。初期の状態、即ち、一度も登録処理が実行されていない状態では、登録テーブル１２ｂに全く画像が記憶されていない。この場合、全ての表示ポイントＰ１〜Ｐ４に追加用画像１０５が表示される。追加用画像１０５は、電話番号と関連付けられた連絡先画像１０４を新たに作成する際にユーザにより操作される。
【００６５】
スピードダイヤル画面は、さらに、削除オブジェクト１０６を含む。削除オブジェクト１０６は、連絡先画像１０４をスピードダイヤル画面から削除する際にユーザにより操作される。
【００６６】
制御部１１は、スピードダイヤル画面を表示すると（Ｓ１０１）、連絡先画像１０４に対するタッチ操作がなされたか否か、追加用画像１０５に対するタッチ操作がなされたか否か、および削除オブジェクト１０６に対するタッチ操作がなされたか否かを監視する（
Ｓ１０２、Ｓ１０３、Ｓ１０４）。
【００６７】
制御部１１は、図９（ａ）に示すように、連絡先画像１０４に対してタッチ操作がなされると（Ｓ１０２：ＹＥＳ）、連絡先画像１０４に関連付けられた電話番号を登録テーブル１２ｂから取得し（Ｓ１０５）、取得した電話番号の通信先（携帯電話機等）へ発信する（Ｓ１０６）。制御部１１は、発信の際、発信画面を表示面３に表示する。図９（ｂ）に示すように、発信画面には、たとえば、電話番号および電話帳テーブル１２ａに記憶された、通信相手に係る画像が表示される。また、発信画面は、終了オブジェクト１０７を含む。終了オブジェクト１０７は、発信を停止する際にユーザにより操作される。
【００６８】
制御部１１は、通信先が応答すると、あるいは、発信中に終了オブジェクト１０７に対するタッチ操作がなされると、発信を終了する。
【００６９】
制御部１１は、図１０（ａ）に示すように、追加用先画像１０４に対してタッチ操作がなされると（Ｓ１０３：ＹＥＳ）、図７（ａ）に示す登録処理を実行する。
【００７０】
制御部１１は、電話帳テーブル１２ａに登録された連絡先情報の中から電話番号が含まれた電話帳情報を抽出する（Ｓ２０１）。次に、制御部１１は、抽出した連絡先情報に対応する選択用画像１０８を生成し、生成した選択用画像１０８の一覧画面を表示面３に表示する（Ｓ２０２）。図１０（ｂ）に示すように、一覧画面には、複数の選択用画像１０８が一覧表示領域Ｒ２内において上下方向に配列される。全ての選択用画像１０８が一覧表示領域Ｒ２内に収まらない場合、上方向または下方向にフリック操作がなされると、画面がスクロールして、表示されていなかった選択用画像１０８が一覧表示領域Ｒ２に現れる。
【００７１】
選択用画像１０８は、どの連絡先情報に対応するものかをユーザが認識できるよう、連絡先情報に含まれる画像および名前を含む。連絡先情報に画像が含まれていない場合は、たとえば、画像が表示され得る枠の領域だけが選択用画像１０８に設けられる。
【００７２】
制御部１１は、何れかの選択用画像１０８に対するタッチ操作がなされたか否か、即ち、連絡先情報を選択するタッチ操作がなされたか否かを判定する（Ｓ２０３）。
【００７３】
ユーザは、スピードダイヤル機能への電話番号の登録を希望する連絡先情報の選択用画像１０８に対してタッチ操作を行う。制御部１１は、選択用画像１０８に対するタッチ操作により連絡先情報が選択されると（Ｓ２０３：ＹＥＳ）、選択された連絡先情報に画像が含まれているか否かを判定する（Ｓ２０４）。制御部１１は、画像が含まれていれば（Ｓ２０４：ＹＥＳ）、その画像を抽出し、抽出した画像から連絡先画像１０４となる画像を生成する。たとえば、抽出した画像に、さらに連絡先情報に含まれる名前を組み込むことにより、連絡先画像１０４となる画像を生成する（Ｓ２０５）。そして、制御部１１は、生成した画像と、選択された連絡先情報に含まれる電話番号とを関連付けるため、これら画像および電話番号を登録テーブル１２ｂに登録する（Ｓ２０６）。このとき、連絡先画像１０４となる画像と電話番号は、登録テーブル１２ｂにおいて、選択された追加用画像１０５が表示された表示ポイントに対応する登録欄に登録される。
【００７４】
登録処理が終了すると、ステップＳ１０１の処理に戻る。制御部１１は、登録テーブル１２ｂに基づいて、スピードダイヤル画面の表示を更新する（Ｓ１０１）。図１０（ｃ）に示すように、制御部１１は、新たに登録テーブル１２ｂに登録された画像に対応する表示ポイントに、更新前に表示されていた追加用画像１０５に替えて、連絡先画像１０４を表示する。
【００７５】
ところで、選択された連絡先情報に画像が含まれていな場合がある。本実施の形態では、連絡先情報に画像が含まれていない場合に用いられる代用画像（画像データ）が記憶部１２に記憶されている。制御部１１は、ステップＳ２０４において、選択された連絡先情報に画像が含まれていないと判定すると（Ｓ２０４：ＮＯ）、記憶部１２から代用画像を取得し、取得した代用画像から連絡先画像１０４となる画像を生成する（Ｓ２０７）。そして、制御部１１は、生成した画像と、選択された連絡先情報に含まれる電話番号とを登録テーブル１２ｂに登録する（Ｓ２０６）。こうして、スピードダイヤル画面が更新されると、追加用画像１０５に替えて、代用画像から生成された連絡先画像１０４が表示される。
【００７６】
スピードダイヤル画面において、図１１（ａ）に示すように、削除オブジェクト１０６に対するタッチ操作がなされると（Ｓ１０４：ＹＥＳ）、制御部１１は、図７（ｂ）に示す削除処理を実行する。なお、スピードダイヤル画面に、連絡先画像１０４が全く存在しない場合には、削除オブジェクト１０６に対するタッチ操作は無効とされる。連絡先画像１０４が全く存在しない場合には、削除オブジェクト１０６がスピードダイヤル画面から消去されてもよい。
【００７７】
削除処理が開始されると、制御部１１は、削除画面を表示面３に表示する（Ｓ３０１）。削除画面には、連絡先画像１０４および追加用画像１０５が表示される。追加用画像１０５は、スピードダイヤル画面での表示よりも暗くなるように表示され、追加用画像１０５に対するタッチ操作は無効とされる。
【００７８】
削除画面は、さらに、取り消しオブジェクト１０９を含む。取り消しオブジェクト１０９は、削除画面からスピードダイヤル画面へ画面を戻す際にユーザにより操作される。
【００７９】
ユーザは、削除画面において、削除を望む連絡先画像１０４に対してタッチ操作を行う。制御部１１は、連絡先画像１０４に対するタッチ操作がなされたと判定すると（Ｓ３０２：ＹＥＳ）、確認画面を表示面３に表示する（Ｓ３０３）。
【００８０】
図１１（ｃ）に示すように、確認画面は、選択された連絡先画像１０４を削除するか否かの確認の操作をユーザに行わせるための確認ウィンドウ１１０を含む。確認ウィンドウ１１０は、ＯＫボタン１１１と、取り消しボタン１１２を含む。
【００８１】
制御部１１は、ＯＫボタン１１１に対してタッチ操作がなされたと判定すると（Ｓ３０４：ＹＥＳ、Ｓ３０５：ＹＥＳ）、登録テーブル１２ｂにおいて、選択された連絡先画像１０４の表示ポイントに対応する登録欄に登録された画像および電話番号を削除する。
【００８２】
削除処理が終了すると、ステップＳ１０１の処理に戻る。制御部１１は、登録テーブル１２ｂに基づいて、スピードダイヤル画面の表示を更新する（Ｓ１０１）。図１１（ｄ）に示すように、制御部１１は、削除画面において選択された連絡先画像１０４に替えて、追加用画像１０５を表示する。
【００８３】
なお、確認画面において、取り消しボタン１１２に対するタッチ操作がなされると（Ｓ３０４：ＹＥＳ、Ｓ３０５：ＮＯ）、制御部１１は、表示面３の表示を確認画面から削除画面に戻す（Ｓ３０１）。
【００８４】
なお、スピードダイヤル画面から連絡先画像１０４の削除が行われても、連絡先画像１０４の元となる画像および電話番号は電話帳テーブル１２ａから削除されない。
【００８５】
以上、本実施の形態によれば、連絡先画像１０４に対するタッチ操作により、連絡先画
像１０４に関連付けられた電話番号の通信先へ発信が行われる。よって、特定の電話番号の通信先へ簡易な操作により電話をかけることができる。
【００８６】
さらに、本実施の形態によれば、連絡先画像１０４に対するタッチ操作がなされると、発信のための更なる操作（確認画面での確認操作等）をユーザに要求することなく、連絡先画像１０４に関連付けられた電話番号の通信先への発信が開始される。よって、ユーザは、より簡易な操作により電話をかけることができる。
【００８７】
さらに、本実施の形態によれば、追加用画像１０５に対するタッチ操作に基づいて、新た電話番号が関連付けられた連絡先画像１０４を追加する登録処理が行われ、登録処理が終了すると、追加用画像１０５が新たな連絡先画像１０４に置き換えられる。よって、ユーザは、追加用画像１０５を連絡先画像１０４に置き換える操作を行うことで、新たな電話番号が関付けられた連絡先画像１０４の追加登録を行うことができるので、ユーザにとって追加登録のための操作が分かりやすい。
【００８８】
さらに、本実施の形態によれば、電話番号入力画面において電話番号の入力が開始されると、電話番号入力画面上には、スピードダイヤルオブジェクト１０２ａに替えて発信オブジェクト１０２ｂが表示される。よって、電話番号の少なくとも一部が入力された後に誤ってスピードダイヤルオブジェクト１０２ａが操作され、入力された電話番号が消え、スピードダイヤル機能が実行されてしまうようなことがない。
【００８９】
<変更例１＞
本変更例は、スピードダイヤル画面の構成が上記実施の形態と異なる。さらに、本変更例は、スピードダイヤル画面の構成の相違に伴い、削除処理が上記実施の形態と異なる。
【００９０】
図１２は、本変更例に係る、スピードダイヤル画面について説明するための図である。
【００９１】
本変更例の登録テーブル１２ｂには、スピードダイヤル機能に登録可能な電話番号の数だけ登録欄が設けられている。登録テーブル１２ｂの登録欄には、上から登録された順番に、連絡先画像１０４となる画像およびこの画像に関連付けられた電話番号が登録されている。画像および電話番号が登録されていない登録欄は空白となる。
【００９２】
図１２に示すように、制御部１１は、登録テーブル１２ｂに登録された画像を、登録された順番に、連絡先画像１２１として、表示領域Ｒ３内に上から並べて表示する。連絡先画像１２１は、たとえば、連絡先情報に含まれた画像または代用画像と、連絡先情報に含まれた名前により構成される。連絡先画像１２１は、上下方向に配列されるため、横長の形状とされる。
【００９３】
さらに、制御部１１は、最後に表示された連絡先画像１２１に続いて追加用画像１２２を表示する。追加用画像１２２は、たとえば、スピードダイヤル機能への電話番号の追加が可能であることを示すテキストを含む。
【００９４】
さらに、制御部１１は、各連絡先画像１２１に対応する削除オブジェクト１２３を、各連絡先画像１２１の隣に表示する。
【００９５】
上記実施の形態と同様、タッチ操作により連絡先画像１２１が選択されると、制御部１１は、選択された連絡先画像１２１に関連付けられた電話番号の通信先へ発信する。
【００９６】
図１３（ａ）ないし（ｃ）は、本変更例に係る、登録操作がなされたときの表示面３の画面遷移を示す図である。本変更例における登録処理の処理手順は、上記実施の形態の登
録処理と同様である。
【００９７】
図１３（ａ）に示すように、追加用画像１２２に対するタッチ操作がなされると、制御部１１は、図１３（ｂ）に示すように、選択用画像１０８の一覧画面を表示面３に表示する。制御部１１は、タッチ操作により選択用画像１０８が選択されると、選択された連絡先情報に含まれる電話番号と、この電話番号が関連付けられる連絡先画像１２１となる画像を、登録テーブル１２ｂにおける最も上の空白の登録欄に登録する。図１３（ｃ）に示すように、制御部１１は、スピードダイヤル画面を更新する際、新たに登録された画像を、連絡先画像１２１として、更新以前に表示されていた追加用画像１２２に替えて表示する。さらに、制御部１１は、新たに表示した連絡先画像１２１に続いて追加用画像１２２を表示する。
【００９８】
図１４は、本変更例に係る、削除処理の処理手順を示すフローチャートである。図１５（ａ）ないし（ｃ）は、削除操作がなされたときの表示面３の画面遷移を示す図である。
【００９９】
図１５（ａ）に示すように、スピードダイヤル画面において、何れかの連絡先画像１２１に対応する削除オブジェクト１２３に対してタッチ操作がなされると、削除処理が実行される。制御部１１は、図１５（ｂ）に示すように、確認画面を表示面３に表示する（Ｓ３１１）。確認画面は、上記実施の形態の削除処理により表示面３に表示される確認画面と同様である。
【０１００】
制御部１１は、ＯＫボタン１１１に対してタッチ操作がなされたと判定すると（Ｓ３１２：ＹＥＳ、Ｓ３１３：ＹＥＳ）、選択された削除オブジェクト１２３に対応する画像および、この画像に関連付けられた電話番号を登録テーブル１２ｂから削除する。画像および電話番号が削除された登録欄の下の登録欄に画像および電話番号が登録されている場合、下の登録欄の画像および電話番号が順番に上の登録欄に繰り上げられる。
【０１０１】
図１５（ｃ）に示すように、制御部１１は、スピードダイヤル画面を更新する際、選択された削除オブジェクト１２３に対応する連絡先画像１２１を削除する。削除した連絡先画像１２１の下に連絡先画像１２１が存在する場合は、下の連絡先画像１２１が順番に上に移動する。さらに、追加用画像１２２も上に移動する。
【０１０２】
なお、確認画面において、取り消しボタン１１２に対するタッチ操作がなされると（Ｓ３１２：ＹＥＳ、Ｓ３１３：ＮＯ）、制御部１１は、表示面３の表示を確認画面からスピードダイヤル画面に戻す。
【０１０３】
本変更例によれば、連絡先画像１２１毎に削除オブジェクト１２３が設けられているので、削除する連絡先画像１２１を削除画面上において指定する操作が不要となる。よって、ユーザは、連絡先画像１２１の削除操作、即ち、スピードダイヤル機能へ登録された電話番号を解除する操作を容易に行うことができる。
【０１０４】
＜変更例２＞
本変更例では、記憶部１２には、図１６に示す画像テーブル１２ｃが記憶されている。画像テーブル１２ｃには、性別および年齢に応じた複数の代用画像が登録されている。画像テーブル１２ｃには、さらに、年齢が不明である場合の代用画像と性別が不明である場合の代用画像が登録されている。代用画像は、顔の画像、上半身の画像等、通信相手に関連する画像とされる。
【０１０５】
本変更例では、登録処理において、一覧画面から選択された連絡先情報に画像が含まれていない場合、その連絡先情報に基づいて、画像テーブル１２ｃから代用画像が選出され
、選出された代用画像から連絡先画像１０４となる画像が生成される。
【０１０６】
図１７は、本変更例に係る、登録処理の処理手順を示すフローチャートである。本変更例では、図７（ａ）の登録処理におけるステップＳ２０７の処理が、ステップＳ２１１ないしステップＳ２１３の処理に置き換えられている。
【０１０７】
以下、本変更例の登録処理について説明する。上記実施の形態と同じ処理については、同じステップ番号を付し、説明を省略する。
【０１０８】
制御部１１は、ステップＳ２０４において、選択された連絡先情報に画像が含まれていないと判定すると（Ｓ２０４：ＮＯ）、選択された連絡先情報に基づいて、その連絡先情報の対象となる通信相手の年齢および性別を特定する（Ｓ２１１）。具体的には、制御部１１は、連絡先情報に含まれる誕生日の情報から年齢を特定する。さらに、制御部１１は、連絡先情報に含まれる名前から性別を特定する。たとえば、性別毎に名前が多数登録された名前データベースが記憶部１２に記憶される。制御部１１は、連絡先情報に含まれる名前と同じ名前を名前データベースから検索することにより、その名前の性別を特定する（Ｓ２１１）。
【０１０９】
制御部１１は、年齢および性別の特定結果に応じた代用画像を画像テーブル１２ｃから選出する。即ち、制御部１１は、年齢および性別が特定できれば、年齢が含まれる年代および性別に割り当てられた代用画像を選出する。さらに、制御部１１は、年齢が特定できず性別が特定できれば、年齢が不明の男性または女性に割り当てられた代用画像を選出し、性別が特定できなければ、年齢の特定の可否に係わらず、性別が不明の場合に割り当てられた代用画像を選出する。
【０１１０】
制御部１１は、選出した代用画像から連絡先画像１０４となる画像を生成する（Ｓ２１３）。そして、制御部１１は、生成した画像と、選択された連絡先情報に含まれる電話番号とを登録テーブル１２ｂに登録する（Ｓ２１４）。
【０１１１】
こうして、スピードダイヤル画面には、連絡先情報、上記の例では、通信相手の年齢および性別に応じて選出された代用画像から生成された連絡先画像１０４が表示される。
【０１１２】
本変更例によれば、連絡先情報に基づいて選出された代用画像から連絡先画像１０４が生成できるので、連絡先情報とは無関係な代用画像（１つの代用画像）から連絡先画像１０４が生成される場合に比べて、ユーザは、表示された連絡先画像１０４からその連絡先画像１０４に対応する通信相手を特定しやすい。
【０１１３】
なお、上記の例では、年齢および性別に応じた複数の代用画像が画像テーブル１２ｃに登録されている。しかしながら、他の条件、たとえば、職業、趣味、住所等に応じた複数の代用画像が画像テーブル１２ｃに登録されてもよい。
【０１１４】
＜変更例３＞
図１８（ａ）ないし（ｃ）は、本変更例に係る、スピードダイヤル機能の制御処理について説明するための図である。
【０１１５】
本変更例では、図１８（ａ）に示すように、記憶部１２に緊急通報先テーブル１２ｄが記憶されている。緊急通報先テーブル１２ｄには、救急通報先毎に、緊急通報先名および緊急通報用電話番号が記憶されている。さらに、緊急通報先テーブル１２ｄには、各緊急連絡先専用の画像が登録されている。専用の画像は、緊急通報用電話番号をスピードダイヤル機能に登録する際に緊急通報用電話番号と関連付けられる連絡先画像１４１となる。
専用の画像は、緊急通報先を示す画像および緊急通報先名により構成される。
【０１１６】
スピードダイヤル画面において、追加用画像１０５が選択されると、図１８（ｂ）に示すように、制御部１１は、連絡先画像１０４に対応する選択用画像１０８に加えて緊急通報先に対応する選択用画像１４２を一覧画面に表示する。選択用画像１４２は、たとえば、緊急通報先であることを示す画像および緊急通報先名により構成される。制御部１１は、タッチ操作により選択用画像１４２が選択されると、選択された選択用画像１４２に対応する緊急通報用電話番号と専用の画像を緊急通報先テーブル１２ｄから取得して、取得した緊急通報用電話番号および専用の画像を登録テーブル１２ｂに登録する。
【０１１７】
図１８（ｃ）に示すように、制御部１１は、スピードダイヤル画面を更新する際、新たに登録された専用の画像を、連絡先画像１４１として、更新以前に表示されていた追加用画像１０５に替えて表示する。
【０１１８】
本変更によれば、緊急通報用電話番号に関連付けられた連絡先画像１４１に対してタッチ操作を行うことにより、簡易な発信操作によって、緊急通報先への通報を行うことができる。
【０１１９】
＜変更例４＞
図１９（ａ）ないし（ｃ）は、本変更例に係る、スピードダイヤル機能の制御処理について説明するための図である。
【０１２０】
本変更例では、連絡先画像１０４に関連付けられた電話番号の通信先への発信回数またはその通信先との通話時間に応じて連絡先画像１０４の表示態様を変化させる。
【０１２１】
たとえば、図１９（ａ）に示すように、スピードダイヤル画面において、連絡先画像１０４の周縁に枠１０４ａが形成される。制御部１１は、連絡先画像１０４に対するタッチ操作により連絡先画像１０４に関連付けられた電話番号へ発信される度に、発信回数または通話時間を記録する。制御部１１は、発信回数が規定回数を超えた場合、または累計の通話時間が規定時間を超えた場合、図１９（ｂ）に示すように、該当する電話番号が関連付けられている連絡先情報１０４の枠１０４ａの色を変化させる。
【０１２２】
制御部１１は、枠１０４ａの色を変化させるのではなく、図１９（ｃ）に示すように、枠１０４ａの太さを変化させてもよい。
【０１２３】
さらに、連絡先画像１０４の表示態様の変化は、枠１０４ａの変化に限られない。たとえば、連絡先画像１０４の形、大きさ、明るさが変化してもよい。
【０１２４】
本変更例によれば、ユーザは連絡先画像１０４の表示態様を確認することにより、通話の頻度が高い通信相手を容易に認識することができる。
【０１２５】
＜変更例５＞
図２０は、本変更例に係る、スピードダイヤル機能の制御処理の処理手順を示すフローチャートである。図２０には、上記実施の形態におけるスピードダイヤル機能の制御処理（図６参照）に対して追加された処理（Ｓ１１１〜Ｓ１２２）を含む一部の処理のみが示されている。
【０１２６】
本変更例では、スピードダイヤル画面において、連絡先画像１０４に対するフリック操作が受け付けられ、フリック操作の方向に応じて、一般電話の発信処理、インターネット電話の発信処理、ＳＭＳ（Short Message Service）のメール作成画面の表示処理、およ
び電子メールのメール作成画面の表示処理が実行される。
【０１２７】
連絡先画像１０４には、電話番号（一般電話の電話番号）に加え、インターネット電話の電話番号、メールアドレスが関連付けられる。インターネット電話の電話番号は、電話帳テーブル１２ａに登録される連絡先情報に含まれる。制御部１１は、登録処理において、連絡先情報が選択されると、連絡先画像１０４となる画像および電話番号に加えて、インターネット電話の電話番号およびメールアドレスを登録テーブル１２ｂに登録する。
【０１２８】
以下、本変更例のスピードダイヤル機能に係る制御処理について説明する。上記実施の形態と同じ処理については、同じステップ番号を付し、説明を省略する。
【０１２９】
制御部１１は、ステップＳ１０２において、連絡先画像１０４に対するタッチ操作がなされると、タッチ操作が、右方向へのフリック操作であるか否か、左方向のフリック操作であるか否か、上方向へのフリック操作であるか否か、および、下方向へのフリック操作であるか否かを判定する（Ｓ１１１、Ｓ１１２、Ｓ１１３、Ｓ１１４）。
【０１３０】
制御部１１は、右方向へのフリック操作がなされたと判定すると（Ｓ１１１：ＹＥＳ）、連絡先画像１０４に関連付けられた電話番号を登録テーブル１２ｂから取得し（Ｓ１１５）、取得した電話番号の通信先へ電話回線を通じて発信する（Ｓ１１６）。制御部１１は、左方向へのフリック操作がなされたと判定すると（Ｓ１１２：ＹＥＳ）、連絡先画像１０４に関連付けられたインターネット電話の電話番号を登録テーブル１２ｂから取得し（Ｓ１１７）、取得した電話番号の通信先へインターネット回線を通じて発信する（Ｓ１１８）。
【０１３１】
さらに、制御部１１は、上方向へのフリック操作がなされたと判定すると（Ｓ１１３：ＹＥＳ）、連絡先画像１０４に関連付けられた電話番号を登録テーブル１２ｂから取得し（Ｓ１１９）、ＳＭＳのメール作成画面を表示面３に表示する（Ｓ１２０）。このとき、制御部１１は、取得した電話番号をメール作成画面の宛先記入欄に記入する。制御部１１は、下方向へのフリック操作がなされたと判定すると（Ｓ１１４：ＹＥＳ）、連絡先画像１０４に関連付けられたメールアドレスを登録テーブル１２ｂから取得し（Ｓ１２１）、電子メールのメール作成画面を表示面３に表示する（Ｓ１２２）。このとき、制御部１１は、取得したメールアドレスをメール作成画面の宛先記入欄に入力する。
【０１３２】
本変更例によれば、連絡先画像１０４に対するタッチ操作により、一般電話の発信処理のみならず、連絡先情報を用いた他の処理が実行できるので、ユーザに対する利便性が向上する。
【０１３３】
なお、上記のように、携帯電話機１が、フリック操作の方向に応じて、一般電話の発信処理、インターネット電話の発信処理、ＳＭＳのメール作成画面の表示処理、および電子メールのメール作成画面の表示処理、の４つの処理を実行する構成とされる場合、さらに、図２１に示す構成がとられる。
【０１３４】
図２１（ａ）に示す構成では、制御部１１は、連絡先画像１０４に対し、フリック操作に先立って、タップ操作またはロングタップ操作がなされると、フリック操作の方向により実行される処理を通知する通知アイコン群１３１を、連絡先画像１０４に重ねて表示する。通知アイコン群１３１は、一定時間表示された後に消去される。通知アイコン群１３１は、連絡先画像１０４の中心に対して右方向に配された、一般電話の発信処理に対応する通知アイコン１３２ａ、連絡先画像１０４の中心に対して左方向に配された、インターネット電話の発信処理に対応する通知アイコン１３２ｂ、連絡先画像１０４の中心に対して上方向に配された、ＳＭＳのメール作成画面の表示処理に対応する通知アイコン１３２
ｃ、および連絡先画像１０４の中心に対して下方向に配された、電子メールのメール作成画面の表示処理に対応する通知アイコン１３２ｄにより構成される。なお、制御部１１は、タップ操作またはロングタップ操作がなされなくても、スピードダイヤル画面が表示されてから一定時間が経過したときに、通知アイコン群１３１を表示してもよい。
【０１３５】
このような構成とすれば、フリックの方向により実行できる処理をユーザが容易に把握できる。
【０１３６】
図２１（ｂ）の構成では、制御部１１は、連絡先画像１０４に対してフリック操作がなされると、連絡先画像１０４をフリック操作の方向に移動させる。
【０１３７】
このような構成とすれば、所望の方向に正しくフリック操作がなされたか否かをユーザが容易に把握できる。
【０１３８】
＜変更例６＞
図２２は、本変更例に係る、スピードダイヤル機能の制御処理の処理手順を示すフローチャートである。図２２には、上記実施の形態におけるスピードダイヤル機能の制御処理（図６参照）に対して追加された処理（Ｓ１３１〜Ｓ１３６）を含む一部の処理のみが示されている。
【０１３９】
本変更例では、スピードダイヤル画面において、連絡先画像１０４に対するタップ操作およびロングタップ操作が受け付けられ、タップ操作に基づいて一般電話の発信処理が実行され、ロングタップ操作に基づいて電子メールのメール作成画面の表示処理が実行される。
【０１４０】
連絡先画像１０４には、電話番号（一般電話の電話番号）に加え、メールアドレスが関連付けられる。制御部１１は、登録処理において、連絡先情報が選択されると、連絡先画像１０４となる画像および電話番号に加えて、メールアドレスを登録テーブル１２ｂに登録する。
【０１４１】
以下、本変更例に係るスピードダイヤル機能の制御処理について説明する。上記実施の形態と同じ処理については、同じステップ番号を付し、説明を省略する。
【０１４２】
制御部１１は、ステップＳ１０２において、連絡先画像１０４に対するタッチ操作がなされると、なされたタッチ操作が、タップ操作であるか否か、ロングタップ操作であるか否かを判定する（Ｓ１３１、Ｓ１３２）。
【０１４３】
制御部１１は、タップ操作がなされたと判定すると（Ｓ１３１：ＹＥＳ）、連絡先画像１０４に関連付けられた電話番号を登録テーブル１２ｂから取得し（Ｓ１３４）、取得した電話番号の通信先へ電話回線を通じて発信する（Ｓ１３５）。制御部１１は、ロングタップ操作がなされたと判定すると（Ｓ１３２：ＹＥＳ）、連絡先画像１０４に関連付けられたメールアドレスを登録テーブル１２ｂから取得し（Ｓ１３５）、電子メールのメール作成画面を表示面３に表示する（Ｓ１３６）。このとき、制御部１１は、取得したメールアドレスをメール作成画面の宛先記入欄に入力する。
【０１４４】
なお、登録テーブル１２ｂに、メールアドレスが登録されていない場合は、メールアドレスが入力されていない新規のメール作成画面を表示することとしてもよい。もしくは、メール作成画面を表示するための処理を無効とすることとしてもよい。あるいは、メール作成画面を表示するための処理を無効とするとともに、メールアドレスが登録されていない旨の通知を表示部１３に表示することとしてもよい。
【０１４５】
本変更例によれば、連絡先画像１０４に対するタッチ操作により、一般電話の発信処理のみならず、連絡先情報を用いた他の処理が実行できるので、ユーザに対する利便性が向上する。
【０１４６】
＜変更例７＞
図２３は、本変更例に係る、スピードダイヤル機能の制御処理の処理手順を示すフローチャートである。図２３には、上記実施の形態におけるスピードダイヤル機能の制御処理（図６参照）に対して追加された処理（Ｓ１４１〜Ｓ１４３）を含む一部の処理のみが示されている。
【０１４７】
本変更例では、スピードダイヤル画面において、連絡先画像１０４に対するタッチ操作がなされても、直ちには発信が行われず、ユーザの耳が携帯電話機１に近接すると発信が行われる。即ち、ユーザが通話の動作に入ると発信が行われる。
【０１４８】
以下、本変更例に係るスピードダイヤル機能の制御処理について説明する。上記実施の形態と同じ処理については、同じステップ番号を付し、説明を省略する。
【０１４９】
制御部１１は、連絡先画像１０４に対するタッチ操作がなされたことに基づいて、連絡先画像１０４に関連付けられた電話番号を登録テーブル１２ｂから取得すると（Ｓ１０５）、近接検出部２０の検出結果に基づいて、携帯電話機１に物体、即ち、ユーザの耳や頬が近接したか否かを判定する（Ｓ１４１）。制御部１１は、携帯電話機１等にユーザの耳等が近接したと判定すると（Ｓ１４１：ＹＥＳ）、取得した電話番号の通信先へ発信する（Ｓ１０６）。
【０１５０】
一方、制御部１１は、携帯電話機１等にユーザの耳等が近接していないと判定すると（Ｓ１４１：ＮＯ）、制限時間（たとえば、１０秒〜数十秒程度）が経過する前に発信を取り消す操作がなされたか否かを判定する（Ｓ１４２、Ｓ１４３）。
【０１５１】
ユーザが誤って連絡先画像１０４に対するタッチ操作を行った場合、直ちに発信の取り消し操作、たとえば、再度の連絡先画像１０４に対するタッチ操作を行う。制御部１１は、制限時間が経過する前に取り消し操作がなされると（Ｓ１４２：ＮＯ、Ｓ１４３：ＹＥＳ）、発信を行わずに、再び、連絡先画像１０４に対するタッチ操作を監視する（Ｓ１０２）。制御部１１は、取り消し操作が行われることなく制限時間が経過すると（Ｓ１４２：ＹＥＳ）、発信を行う（Ｓ１０６）。
【０１５２】
本変更例によれば、ユーザの誤操作により発信が行われることを抑制できる。
【０１５３】
＜変更例８＞
図２４は、本変更例に係る、受話音量の調整処理の処理手順を示すフローチャートである。
【０１５４】
本変更例では、スピードダイヤル機能による発信に基づいて通話が開始された場合、通話スピーカ５の受話音量が通常の受話音量よりも大きくされる。以下、本変更例に係る受話音量の調整処理について説明する。
【０１５５】
制御部１１は、通話が開始されると（Ｓ４０１：ＹＥＳ）、その通話がスピードダイヤル機能による発信に基づく通話であるか否かを判定する（Ｓ４０２）。制御部１１は、その通話がスピードダイヤル機能による発信に基づく通話であれば（Ｓ４０２：ＹＥＳ）、通話スピーカ５の受話音量を現在の設定値より増加させる。これにより、通話スピーカ５
の受話音量が、通常の通話（たとえば、通信相手からの着信に基づく通話、電話番号の直接入力による発信に基づく通話）より大きくなる。
【０１５６】
制御部１１は、通話が終了すると（Ｓ４０４：ＹＥＳ）、通話スピーカ５の受話音量を元に戻す（Ｓ４０５）。
【０１５７】
本変更例によれば、スピードダイヤル機能に登録された通信相手との通話を良好に行うことができる。
【０１５８】
＜変更例９＞
本変更例では、スピードダイヤル機能による発信が行われた場合に発信が行われていることを報知する発信報知処理が実行される。
【０１５９】
図２５は、本変更例に係る、発信報知処理の処理手順を示すフローチャートである。以下、本変更例に係る発信報知処理について説明する。
【０１６０】
上述の通り、連絡先画像１０４に対するタッチ操作がなされると、連絡先画像１０４に関連付けられた電話番号の通信先への発信が開始される。発信が開始されると、通信部１９から通信先へ発信音が出力される。制御部１１は、スピードダイヤル機能による発信が開始されると（Ｓ５０１：ＹＥＳ）、外部スピーカ７からビープ音または音声を出力することにより、発信が行われていることを外部に報知する（Ｓ５０２）。
【０１６１】
通信相手が応答すると、あるいは、通信相手が通信を切断すると、発信音の出力が停止する。制御部１１は、発信音の出力が停止すると（Ｓ５０３：ＹＥＳ）、報知を停止する（Ｓ５０４）。
【０１６２】
なお、外部スピーカ７からのビープ音や音声による報知に限らず、たとえば、携帯電話機１に設けられたバイブレータからの振動により、発信が行われている旨の報知が行われてもよい。
【０１６３】
本変更例によれば、ユーザが連絡先画像１０４に誤って触れてしまい、意図せず発信が行われても、ユーザは、報知によって誤った発信に気付き、発信を中止することができる。
【０１６４】
＜その他＞
以上、本発明の実施の形態および変更例について説明したが、本発明は、上記実施の形態等によって何ら制限されるものではなく、また、本発明の実施の形態も、上記以外に種々の変更が可能である。
【０１６５】
たとえば、上記実施の形態において、スピードダイヤル画面に配された連絡先画像１０４の位置が、連絡先画像１０４に対するドラッグ操作により変更できてもよい。スピードダイヤル画面に４つの連絡先画像１０４が配置されている場合、たとえば、図２６に示す例のように、各連絡先画像１０４の位置を移動させることができる。図２６の例では、右上の連絡先画像１０４を右下の連絡先画像１０４に向けて移動させるドラッグ操作が行われると、右下の連絡先画像１０４が左側へ、左下の連絡先画像１０４が上側へ、左上の連絡先画像１０４が右側へ、それぞれ移動し、結果、各連絡先画像１０４が右回りに次の連絡先画像１０４の位置に移動する。逆に、右上の連絡先画像１０４を左上の連絡先画像１０４に向けて移動させるドラッグ操作が行われると、各連絡先画像１０４が右回りに次の連絡先画像１０４の位置に移動する。その他の例として、１つの連絡先画像１０４を他の連絡先画像１０４に向けて移動させるドラッグ操作が行われた場合に、互いの連絡先画像
１０４の位置が入れ替えられてもよい。
【０１６６】
さらに、上記実施の形態において、図２７に示すように、連絡先画像１０４および追加用画像１０５に対するタッチ操作を受け付けるための受付領域Ｒ４が、連絡先画像１０４および追加用画像１０５よりも広い範囲に設定されてもよい。この場合、連絡先画像１０４から少し外れた位置へタッチ操作がなされても、その連絡先画像１０４に関連付けられた電話番号での発信を行うことができる。また、追加用画像１０５から少し外れた位置へタッチ操作がなされても、登録処理を実行することができる。
【０１６７】
さらに、上記実施の形態では、一覧画面から選択された連絡先情報に画像が含まれていない場合、代用画像から作成された画像が連絡先画像１０４とされる。このように代用画像により連絡先画像１０４が構成された後、電話帳テーブル１２ａへの画像の登録により、その連絡先画像１０４に対応する連絡先情報に画像が加えられた場合、その画像から作成された新たな画像が、代用画像から生成された画像に替えて、連絡先画像１０４として表示されてもよい。
【０１６８】
さらに、上記実施の形態において、連絡先画像１０４の画像内容が定期的に更新されてもよい。一覧画面から選択された連絡先情報に画像が含まれる場合、その画像から連絡先画像１０４となる画像が生成され、登録テーブル１２ｂに登録される。よって、連絡先情報に含まれる画像の保存先（フォルダ）にある別の画像、即ち、その連絡先情報の通信相手に係る別の画像が定期的に読み出され、読み出された画像から連絡先画像１０４となる画像が生成され、登録テーブル１２ｂに登録されるようにすれば、連絡先画像１０４の画像内容が定期的に更新される。
【０１６９】
さらに、上記実施の形態において、ユーザによる操作に基づいて、連絡先画像１０４のサイズが変更できてもよい。この場合、１つの連絡先画像１０４のサイズが変更されると、それに合わせて、残りの連絡先画像１０４のサイズが変更されてもよい。たとえば、１つの連絡先画像１０４のサイズが拡大され、そのままのサイズでは残りの連絡先画像１０４の表示が困難となる場合に、残りの連絡先画像１０４のサイズが縮小される。
【０１７０】
さらに、上記実施の形態において、スピードダイヤル画面に表示された連絡先画像１０４毎に複数の音声の出力先（通話スピーカ５、外部スピーカ７、携帯電話機１と無線接続された無線スピーカ等）の中から受話音声の出力先が設定されてもよい。この場合、連絡先画像１０４に関連付けられた電話番号の通信先と通話が行われた際に、連絡先画像１０４に対応する出力先から受話音声が出力される。このようにすれば、ユーザは、通信相手に応じて所望の受話音声の出力先を選択できる。
【０１７１】
たとえば、図２８（ａ）に示すように、一覧画面から何れかの選択用画像１０８が選択されると、制御部１１は、出力先選択画面を表示する。出力先選択画面には、複数の出力先を示す出力先オブジェクト１５１が表示される。制御部１１は、ユーザのタッチ操作により何れかの出力先オブジェクト１５１、即ち出力先が選択されると、一覧画面から選択された選択用画像１０８対応する連絡先画像１０４に、選択された出力先を関連付ける。これにより、連絡先画像１０４に関連付けられた出力先が、その連絡先画像１０４の操作による通話の際の受話音声の出力先に設定される。
【０１７２】
さらに、上記実施の形態において、スピードダイヤル機能による発信に基づく通話の際には、予めユーザにより設定された出力先（通話スピーカ５、外部スピーカ７、無線スピーカ等）から受話音声が出力されてもよい。このようにすれば、ユーザは、スピードダイヤル機能による発信に基づく通話を行う場合に、所望の受話音声の出力先を選択できる。
【０１７３】
たとえば、所定の操作に基づいて、制御部１１は、図２８（ｂ）に示すような出力先選択画面を表示面３に表示する。この出力先選択画面は、図２８（ａ）の出力先選択画面と同様である。制御部１１は、ユーザのタッチ操作により何れかの出力先オブジェクト１５１、即ち出力先が選択されると、選択された出力先を、スピードダイヤル機能による発信に基づく通話の際の受話音声の出力先に設定する。
【０１７４】
さらに、上記実施の形態において、連絡先画像１０４は、静止画に限られるものではなく、動画であってもよい。
【０１７５】
さらに、上記実施の形態では、電話番号を含む連絡先情報は、携帯電話機１の記憶部１２に記憶されていることとしたが、サーバーなどの外部記憶部に記憶されることとしてもよい。その場合、携帯電話機１からの連絡先情報の送信要求に応じて、サーバーは連絡先情報を携帯電話機１に送信する。携帯電話機１はサーバーより送信された連絡先情報を受信することで、所望の連絡先情報を取得することができる。
【０１７６】
さらに、上記変更例１ないし上記変更例９の構成は、適宜、組み合わせることができる。
【０１７７】
本発明は、携帯電話機に限られず、ＰＤＡ（Personal DigitalAssistant）、タブレットＰＣ（Tablet PC）、電子書籍端末等の各種の携帯端末装置に適用可能である。
【０１７８】
この他、本発明の実施形態は、特許請求の範囲に示された技術的思想の範囲内において、適宜、種々の変更が可能である。
【符号の説明】
【０１７９】
３  表示面
５  通話スピーカ（音声出力部）
７  外部スピーカ（報知部、音声出力部）
１１  制御部
１２  記憶部
１２ａ  電話帳テーブル
１２ｂ  登録テーブル
１２ｃ  画像テーブル
１２ｄ  緊急通報先テーブル
１３  表示部
１４  タッチ検出部（操作受付部）
２０  近接検出部
１０１ａ  テンキー（第１操作領域）
１０２ａ  スピードダイヤルオブジェクト（第２操作領域）
１０２ｂ  発信オブジェクト（第３操作領域）
１０４  連絡先画像（第１画像）
１０５  追加用画像（第２画像）
１０８  選択用画像
１２１  連絡先画像（第１画像）
１２２  追加用画像（第２画像）
【図１】
2014068246.tif 000003
【図２】
2014068246.tif 000004
【図３】
2014068246.tif 000005
【図４】
2014068246.tif 000006
【図５】
2014068246.tif 000007
【図６】
2014068246.tif 000008
【図７】
2014068246.tif 000009
【図８】
2014068246.tif 000010
【図９】
2014068246.tif 000011
【図１０】
2014068246.tif 000012
【図１１】
2014068246.tif 000013
【図１２】
2014068246.tif 000014
【図１３】
2014068246.tif 000015
【図１４】
2014068246.tif 000016
【図１５】
2014068246.tif 000017
【図１６】
2014068246.tif 000018
【図１７】
2014068246.tif 000019
【図１８】
2014068246.tif 000020
【図１９】
2014068246.tif 000021
【図２０】
2014068246.tif 000022
【図２１】
2014068246.tif 000023
【図２２】
2014068246.tif 000024
【図２３】
2014068246.tif 000025
【図２４】
2014068246.tif 000026
【図２５】
2014068246.tif 000027
【図２６】
2014068246.tif 000028
【図２７】
2014068246.tif 000029
【図２８】
2014068246.tif 000030